(57)【要約】【課題】  簡単な構成で大型化を招くことなく遊技者による均しを要しないで遊技機外に配置された球収容部に均等分散させて皿部以外の貯留部材に排出されたパチンコ球が溢れるのを防止できるパチンコ遊技機を提供する。【解決手段】  球受け部におけるパチンコ球が集約する位置に球排出用入り口部８Ｃを設け、球排出用入り口部８Ｃに対面する延長方向一端および球排出用入り口部８Ｃとは異なる位置にパチンコ球を排出可能な複数の球抜き部８Ｄ、８Ｄ’を備え、前記球排出用入り口部には、払い出される賞球数に応じて前記球抜け部８Ｄ、８Ｄ’に対する前記球排出用入り口部８Ｃからのパチンコ球の導入方向を切り換えることができる構成１００が備えられていることを特徴としている。【選択図】  図８
2006109910.tif 000002
【特許請求の範囲】
【請求項１】
パチンコ球を発射装置に向けて供給する供給領域と、払い出された賞球の貯留領域とがほぼ同一面内に設けられ、これら各領域からのパチンコ球を外部に落下させて排出するための球抜き部が設けられている一体皿を有するパチンコ遊技機において、
前記供給領域と前記貯留領域とに存在するパチンコ球が集約する位置に設けられた開口で構成されている球排出用入り口部と、該球排出用入り口部に連続する延長方向一端および前記球排出用入り口部から分岐した複数の延長方向他端を有する球抜き部とを備え、
前記球排出用入り口部には、払い出される賞球数に応じて前記球抜け部に対する前記球排出用入り口部からのパチンコ球の導入方向を切り換えることができる構成が備えられていることを特徴とするパチンコ遊技機。
【請求項２】
請求項１記載のパチンコ遊技機において、
前記パチンコ球の導入方向を切り換える構成として、該球排出用入り口部に近接して設けられ、該球排出用入り口部近傍に設けられて通常は該球排出用入り口部を閉鎖状態に維持し、払い出される賞級数に応じて前記球抜き部に対するパチンコ球の導入方向を振り分ける手段が用いられることを特徴とするパチンコ遊技機。
【請求項３】
請求項１または２記載のパチンコ遊技機において、
前記パチンコ球の導入方向を切り換える構成に用いられる部材は遊技制御に用いられる制御部に接続され、該制御部は、遊技領域に設けられている入賞口若しくは大入賞口にパチンコ球が落入した際の払い出しの総数を基準としてそのほぼ半分の量に達した時点あるいは予め設定されている賞球の払い出し総数に対する等分回数毎にパチンコ球の導入方向を切り換えることを特徴とするパチンコ遊技機。
【請求項４】
請求項２記載のパチンコ遊技機において、
前記パチンコ球の導入方向を切り換える構成として、前記球排出用入り口部近傍に配置されて該球排出用入り口部を二分するサイズの一対からなる揺動部材が用いられ、該揺動部材は通常、該球排出用入り口部を閉鎖以上態に維持し、払い出される賞球数に応じていずれかが該球排出用入り口部の半分の領域を開放する方向に揺動することを特徴とするパチンコ遊技機。
【請求項５】
請求項２記載のパチンコ遊技機において、
前記パチンコ球の導入方向を切り換える構成として、該球排出用入り口部として形成された長孔と、該長孔を覆う大きさの外径を有し、その周方向の一部にパチンコ球の通過部を備えた回転可能な振り分け手段とを用い、該振り分け手段は、払い出される賞球数に応じて前記パチンコの通過部の位置を変更するように回転して球抜き部のいずれかへの通路を構成することを特徴とするパチンコ遊技機。
【請求項６】
請求項３記載のパチンコ遊技機において、
前記制御部は、パチンコ球の導入方向を切り換えるための賞球数に応じた切り換え時期を遊技者の意志により任意変更することが可能なことを特徴とするパチンコ遊技機。
【発明の詳細な説明】
【技術分野】
【０００１】
本発明は、パチンコ遊技機に関し、さらに詳しくは、遊技機前面に設けられている球受け皿における球抜き機構に関する。
【背景技術】
【０００２】
周知のように、パチンコ遊技においては、遊技機に装備されている遊技盤面の遊技領域に設けられている入賞口にパチンコ球が入賞すると、その入賞口に設定されている所定数の賞球が払出されるようになっている。
【０００３】
払い出された賞球は、遊技機の前面に設けられている球受け皿に貯留され、発射装置に向けて導入されると再度発射装置により遊技領域に向け弾き飛ばすことができるようになる。
【０００４】
球受け皿の構成としては、払い出されたパチンコ球を貯留する上側受け皿と上側受け皿に溢れたパチンコ球を回収して貯めておく下側受け皿とを設けた構成がある（例えば、特許文献１）。
【０００５】
ところで、上側および下側の各受け皿を設けた構成では、上側から下側の受け皿にパチンコ球を移し替える手間が必要となり、遊戯に集中できない不便があることを考慮して、上側と下側との受け皿を一体化した構成の一体皿が知られている（例えば、特許文献１）。
【０００６】
上記各特許文献に開示されている球受け皿の構成においては、パチンコ球が大量に貯留されると溢れてしまう虞があるので、貯留されたパチンコ球を球受け皿からドル箱などの遊技機側とは別の貯留部材に排出することが行われている。
【０００７】
球受け皿からドル箱などにパチンコ球を排出するための構成としては、例えば、特許文献２に開示された一体皿を対象とすると、受け皿内において発射装置に向けてパチンコ球を供給するためのガイド部をなす供給レールを備えた供給部と払い出される賞球を受ける賞球受け部とにそれぞれ開口する球通路をそれぞれ所定位置で合流させ、合流位置から垂直方向に延長した球抜き通路を設けた構成がある。
【０００８】
上記構成において、受け皿内のパチンコ球を球抜き通路に向けて排出する場合には、各部における通路の開口部を開閉するシャッターを選択開放してパチンコ球を球抜き通路に向け誘導し、球抜き通路の下部開口に対向して配置されたドル箱に落下させるようになっている。
【特許文献１】特開平１１−４７３９７号公報（段落「０００２」欄）
【特許文献２】特開２００２−２６３３２５号公報（段落「００１９」欄）
【発明の開示】
【発明が解決しようとする課題】
【０００９】
ところで、球抜き通路の下部開口から落下したパチンコ球は、ドル箱内に貯留されることになるが、球抜き通路からのパチンコ球が１箇所の落下地点に集中することになり、ドル箱内でパチンコ球が山形に積み上がることになる。
【００１０】
このため、遊技者は、ドル箱内でのパチンコ球の貯留状態を視認することで山形となったパチンコ球を均すことにより、継続して落下してくるパチンコ球の貯留量が減少しないようにする操作が必要となる。仮に均さない場合には、山形の頂点に落下したパチンコ球が弾かれて溢れ出てしまうことがある。
【００１１】
しかし、パチンコ球は、遊技機内およびこれが搭載されている島内を循環するものであるために、互いの接触による帯電を来していることもあり、不用意に均そうとした際に感電して遊技者が不快感を覚えるようなことがある。
【００１２】
そこで、除電機構を設けることも考えられるが、遊技機の構成とは関係のない除電機構を設けることによる構造の大型化や複雑化を招く虞がある。
【００１３】
一方、ドル箱から溢れるのを未然に防止するためにはパチンコ球の貯留状態を遊技者から見やすくすることも考えられる。そこで、パチンコ球の落下位置を遊技者が見やすい位置に設定するためのガイド機構を設け、溢れる前にパチンコ球を均すようにさせることも考えられる。しかし、このような方策を採った場合には、ガイドされる位置、つまり、遊技者が視認しやすいように遊技機の前面から張り出した位置を設定したような場合には、ドル箱の形状が大型となったり、あるいはガイド部が遊技機の球抜き通路下部から遊技者側に向けて指向することもあり、ガイド部材がデザイン上、目障りとなる印象を与えたりすることがある。
【００１４】
本発明の目的は、上記従来のパチンコ遊技機、特にパチンコ球の球抜きにおける問題に鑑み、簡単な構成で大型化を招くことなく遊技者による均しを要しないで遊技機外に配置された球収容部に均等分散させて皿部以外の貯留部材に排出されたパチンコ球が溢れるのを防止できるパチンコ遊技機を提供することにある。
【課題を解決するための手段】
【００１５】
請求項１記載の発明は、パチンコ球を発射装置に向けて供給する供給領域と、払い出された賞球の貯留領域とがほぼ同一面内に設けられ、これら各領域からのパチンコ球を外部に落下させて排出するための球抜き部が設けられている一体皿を有するパチンコ遊技機において、前記供給領域と前記貯留領域とに存在するパチンコ球が集約する位置に設けられた開口で構成されている球排出用入り口部と、該球排出用入り口部に連続する延長方向一端および前記球排出用入り口部から分岐した複数の延長方向他端を有する球抜き部とを備え、前記球排出用入り口部には、払い出される賞球数に応じて前記球抜け部に対する前記球排出用入り口部からのパチンコ球の導入方向を切り換えることができる構成が備えられていることを特徴としている。
【００１６】
請求項２記載の発明は、請求項１記載のパチンコ遊技機において、前記パチンコ球の導入方向を切り換える構成として、該球排出用入り口部に近接して設けられ、該球排出用入り口部近傍に設けられて通常は該球排出用入り口部を閉鎖状態に維持し、払い出される賞級数に応じて前記球抜き部に対するパチンコ球の導入方向を振り分ける手段が用いられることを特徴としている。
【００１７】
請求項３記載の発明は、請求項１または２記載のパチンコ遊技機において、前記パチンコ球の導入方向を切り換える構成に用いられる部材は遊技制御に用いられる制御部に接続され、該制御部は、遊技領域に設けられている入賞口若しくは大入賞口にパチンコ球が落入した際の払い出しの総数を基準としてそのほぼ半分の量に達した時点あるいは予め設定されている賞球の払い出し総数に対する等分回数毎にパチンコ球の導入方向を切り換えることを特徴としている。
【００１８】
請求項４記載の発明は、請求項２記載のパチンコ遊技機において、前記パチンコ球の導入方向を切り換える構成として、前記球排出用入り口部近傍に配置されて該球排出用入り口部を二分するサイズの一対からなる揺動部材が用いられ、該揺動部材は通常、該球排出用入り口部を閉鎖以上態に維持し、払い出される賞球数に応じていずれかが該球排出用入り口部の半分の領域を開放する方向に揺動することを特徴としている。
【００１９】
請求項５記載の発明は、請求項２記載のパチンコ遊技機において、前記パチンコ球の導入方向を切り換える構成として、該球排出用入り口部として形成された長孔と、該長孔を覆う大きさの外径を有し、その周方向の一部にパチンコ球の通過部を備えた回転可能な振り分け手段とを用い、該振り分け手段は、払い出される賞球数に応じて前記パチンコの通過部の位置を変更するように回転して球抜き部のいずれかへの通路を構成することを特徴としている。
【００２０】
請求項６記載の発明は、請求項３記載のパチンコ遊技機において、前記制御部は、パチンコ球の導入方向を切り換えるための賞球数に応じた切り換え時期を遊技者の意志により任意変更することが可能なことを特徴としている。
【発明の効果】
【００２１】
請求項１および２記載の発明によれば、球排出用入り口部からパチンコ球を排出するために用いられる球抜き部がパチンコ球の落下位置を異ならせて複数設けられ、球排出用入り口部において球抜き部へのパチンコ球の導入方向を振り返ることにより切り換えることができるので、球抜き部から排出されるパチンコ球が１カ所に集中することなく分散されて排出されることになる。特に、パチンコ球の落下位置を切り換える際には、払い出される賞球数を基準としてその動作が行えるので、遊技者が遊技の途中で切り換える場合と違って遊技への集中度を損なわないようにしてパチンコ球の排出が可能となる。
【００２２】
請求項３記載の発明によれば、パチンコ球の導入方向を切り換える構成に用いられる部材が制御遊技に用いられる制御部に接続されて動作制御され、かつ、制御部が入賞口あるいは大入賞口にパチンコ球が落入した際の払い出し賞球の総数を基準として上記部材の切り換え制御を行うようになっているので、賞球数のカウントという簡単な処理によって排出されるパチンコ球の偏倚を解消することが可能となる。
【００２３】
請求項４記載の発明によれば、球排出用入り口部に配置されている一対の揺動部材の揺動態位を切り換えるだけの簡単な構成によりパチンコ球の導入方向を切り換えることができ、しかも球抜き部が分岐している位置で振り分けることができるので、複数の排出部に排出制御を行う部材を設けた場合と違って構成を簡略化することが可能となる。
【００２４】
請求項５記載の発明によれば、周方向の一部にパチンコ球の通過部を備えた回転可能な振り分け手段によりパチンコ球の導入方向を切り換えることができるので、振り分け方向に応じて導入切り換え部材を設ける必要がなく、構成を簡略化することが可能となる。
【００２５】
請求項６記載の発明によれば、制御部においてパチンコ球の導入方向を切り換える時期を賞級数に応じたものとするだけでなく、遊技者の意志により任意変更することができるので、遊技者の視認により、排出されるパチンコ球の落下状況に応じた導入方向の切り換えが可能となる。これにより、予め設定されている賞球数に応じた導入方向の切り換えでは溢れる虞がある事態を回避することが可能となる。
【発明を実施するための最良の形態】
【００２６】
以下、図面に示す実施例により、本発明を実施するための最良の形態について説明する。
【実施例】
【００２７】
図１は、本発明実施例で対象とするパチンコ遊技機１００の正面図であり、同図においてパチンコ遊技機１００は、外郭方形枠サイズに形成されて縦長の固定保持枠１を構成する外枠１の開口前面に、外枠１に合わせて方形枠サイズに形成された開閉搭載用の前枠２を備えている。
【００２８】
前枠２は、外枠２の正面左側上下に取り付けられたヒンジ金具３Ａ、３Ｂにより外枠１に対して開閉可能に取り付けられ、さらに、外枠１の正面右側に設けられた施錠装置４によって閉鎖状態に保持されるようになっている。
【００２９】
前枠２の上部領域には、遊技盤５が配置されており、遊技盤５は、所定板厚の積層合板の裏側にセルを貼り付けてルーター加工した化粧板を基板とし、その前面側には図示しないが、環状に取り付けられたガイドレールに囲まれて略円形状の遊技領域６が設けられている。
【００３０】
遊技領域６には、図示しないが、略中央部に画像表示装置の表示部が配置され、表示部の周りにはセンター飾りや始動入賞口および大入賞口などがそれぞれ配置されている。遊技領域下部にはアウト球を回収するアウト口も設けられており、始動入賞口や大入賞口に入賞せずに落下したアウト球を遊技盤５の背面側から機外に排出できるようになっている。
【００３１】
また、前枠２の前面上部側には、遊技盤５を視認できるように透明なガラス盤を備えた前扉７が水平方向に開閉可能かつ着脱可能に設けられ、通常は、施錠装置４により閉鎖状態に保持されて遊技盤５の前面を覆っている。
【００３２】
前枠２の前面下部側でガラス扉７の下方には、球受け皿を構成している一体皿８が、前枠２に開閉支持されている背面板（図示されず）に取り付けられて設けられており、一体皿８は、図示しない施錠装置により通常、閉鎖状態に保持されている。
【００３３】
一体皿８は、後で詳細を説明するが、発射装置に向けてパチンコ球を供給する供給レールを備えた供給領域と払い出された賞球を貯留する貯留領域とをほぼ同一面内に有し、各領域から皿外部に向けてパチンコ球を排出する球抜け部を一体構造部内に纏めた構成を有している。
【００３４】
一体皿８には、パチンコ球が存在する皿部だけではなく、皿部の正面右側下部に発射ハンドル９が、そして、正面左側下部に灰皿１０等が設けられている。
【００３５】
図２は、図１に示した構成のパチンコ遊技機１００を対象として本実施例の特徴部を説明するための配置関係を示す模式図であり、同図には一体皿８の球受け部が示されている。
【００３６】
図２において、一体皿８の球受け部は、発射装置（図示されず）に向けてパチンコ球を供給ガイドする供給レール８Ａ１を備えた供給領域８Ａと、遊技盤５の前面下部で球受け部に開口する払い出し口から払い出される賞球を貯留する貯留領域８Ｂとがほぼ同じ面内に設けられており、各領域に存在するパチンコ球が集約する位置には円形開口からなる球排出用入り口部８Ｃが設けられている。
【００３７】
球排出用入り口部８Ｂは、球受け部においてパチンコ球が集約する位置に単一で設けられており、その下方には、図３に示すように、球排出用入り口部８Ｂに連続する延長方向一端を有し、延長方向他端が球排出用入り口部８Ｃから分岐している複数の球抜き部８Ｄ、８Ｄ’が設けられている。
【００３８】
球抜き部８Ｄ、８Ｄ’は、球排出用入り口部８Ｃの開口面積に対しておおむね半分の開口面積を以て球排出用入り口部８Ｃに対面しており、本実施例では、球排出用入り口部８Ｃの開口形状を二分した形状の開口をそれぞれ有している。
【００３９】
球抜き部８Ｄ、８Ｄ’における延長方向他端はそれぞれ異なる位置に開口しており、遊技機とは別の貯留部材として用いられるドル箱の長手方向で異なる位置に対面するようになっている。
【００４０】
球排出用入り口部８Ｃには、球抜き部８Ｄ、８Ｄ’に対するパチンコ球の導入方向を切り換えるための構成が設けられており、その構成には、図４に示す構成が用いられている。
【００４１】
図４は、球排出用入り口部８Ｃ近傍の断面図であり、同図において球排出用入り口部８の近傍には、該球排出用入り口部８Ｃを二分するサイズを有した一対の揺動部材８０，８０’が配置されている。
【００４２】
揺動部材８０，８０’は、基部が図示しないロータリソレノイドによって回動自在に支持されており、揺動端側が球排出用入り口部８Ｃの開口側に臨出する態位と開口側から退避する態位とを選択できるように揺動することができる。
【００４３】
揺動部材８０，８０’の揺動態位は、後述する制御部によって設定されるようになっており、通常は、両方の揺動部材８０，８０’が球排出用入り口部８Ｃの開口を閉鎖する状態に維持されており、制御部からの動作指令により図４（Ａ）、あるいは（Ｂ）に示すように、いずれかの揺動部材が球排出用入り口部８Ｃの開口側から退避することにより、球排出用入り口部８Ｃの開口の半分の領域を開放してこの開放された領域に連通する球抜き部に向けて矢印で示すように、パチンコ球を導入させるようになっている。
【００４４】
揺動部材８０，８０’の動作制御に用いられる制御部は、図５に示すように、遊技制御に用いられる制御部１００が用いられ、制御部１００には、本実施例と関係する構成として、入力側に入賞口スイッチ１０１，大入賞口スイッチ１０２，および遊技者による強制割り込み切り換えスイッチ１０３が接続され、出力側には揺動部材８０，８０’の駆動部材であるロータリーソレノイドの駆動部１０４が接続されている。入力側には図示していないが、払い出されたパチンコ球を計数するカウンターも接続されている。
【００４５】
制御部１００では、大入賞口にパチンコ球が落入した際の払い出し賞球数が予め設定されていることを前提として、大入賞口への落入回数に応じた払い出し賞級数の総数、つまり、予め設定されている大入賞口の閉じ時期までの落入回数に応じた賞球数を基準としてその半分の賞級数に達した時点あるいは賞球数を基準として予め設定された等分回数に対応する時期を切り換え時期として、パチンコ球の挿入方向を切り換えるための信号を駆動部１０４に出力し、揺動部材８０，８０’のいずれかにより球排出用入り口部８Ｃの開口を開放するようになっている。
【００４６】
一方、制御部１００では、上述したように、大入賞口へのパチンコ球の落入による払い出し賞球数を基準とした導入方向の切り換え動作に加えて、遊技者が強制割り込み切り換えスイッチ１０３を操作した場合には、賞球数を基準とした切り換え動作をキャンセルして強制的に切り換え動作を開始させたりあるいはそれまで設定していた導入方向を切り換える信号を駆動部１０５に出力することもできるようになっている。
【００４７】
これは、例えば、遊技者がドル箱でのパチンコ球の山積状況を視認することで溢れることを予測した場合、制御部１００で設定されている切り換え動作を待つことなくパチンコ球の導入方向を切り換えるようにしてドル箱内でのパチンコ球の均等分散を行わせるためである。
【００４８】
本実施例は以上のような構成であるから、制御部１００での動作を示すフローチャートに基づき作用を説明すると図６および図７に示すとおりである。
【００４９】
制御部１００では、遊技者が発射ハンドル９を操作することで遊技を開始すると、始動処理が実行され（ＳＴ１）、遊技過程での入賞検知処理（ＳＴ２）、入賞検知処理に基づく払い出し処理が実行される（ＳＴ３）。これら各処理は、詳細を説明しないが、入賞検知処理は入賞口および始動入賞口へのパチンコ球の落入検知が相当し、予め設定されている遊技内容に基づく処理が実行され、払い出し処理では入賞賞球を割り出して払い出し機構を動作させる処理が実行される。
【００５０】
払い出し処理が実行されると、切り換え処理が実行される（ＳＴ４）。
【００５１】
切り換え処理は、入賞毎に行われるのでなく、大量の賞球払い出しが行われる場合を対象として実行される。
【００５２】
図７は、この場合の処理手順を示しており、払い出し処理において大入賞口へのパチンコ球の落入回数に基づく払い出し賞球数が算出され（ＳＴ４０）、算出された賞球数に基づき、前述したように、半分の量に達した時点あるいは賞球数を基準とした等分回数に対応する時期を切り換え時期として設定する（ＳＴ４１）。
【００５３】
切り換え時期の設定が完了すると、切り換え時期であるかどうかが払い出されたパチンコ球を計数することで判別され（ＳＴ４２）、切り換え時期でない場合には強制割り込み切り換えスイッチ１０３（図５参照）の操作が行われたかどうかが判別される（ＳＴ４３）。
【００５４】
強制割り込み切り換えスイッチ１０３の操作が行われた場合および切り換え時期に達した場合には、切り換え動作が実行される（ＳＴ４４）。
【００５５】
ステップＳＴ４３において強制割り込み切り換えスイッチ１０３が操作されて切り換え動作が行われることにより、予め設定されている切り換え時期ではドル箱からパチンコ球が溢れることを遊技者自身が認知した場合に、そのような事態の発生を未然に回避することができる。
【００５６】
次に、パチンコ球の導入方向を切り換えるための別の例について説明する。
【００５７】
図８は、球排出用入り口部を上方から見た状態でパチンコ球の導入方向を切り換える構成部材の配置関係を示す模式図である。
【００５８】
図８に示す球排出用入り口部（便宜上、符号８Ｃ’で示す）は、円形ではなく長孔に形成されており、下方には長孔形状を覆うことができる外径を有した回転板からなる振り分け部材１１０が配置されている。
【００５９】
振り分け部材１１０には、その周方向の一部に球排出用入り口部８Ｃ’からのパチンコ球を通過させる通過部１００Ａが１カ所設けられている。なお、通過部１１０Ａの設置数は、設計上適宜変更することができるが、いずれの場合もパチンコ球の導入方向が切り換えられる位相関係を設定できることが必要である。
【００６０】
振り分け部材１１０は、回転することにより通過部１１０Ａの位置を球排出用入り口部８Ｃ’の長軸方向で異ならせることができ（図８において符号Ａ、Ｂで示す位置）、球排出用入り口部８Ｃ’と対面した通過部１１０Ａからのパチンコ球の導入方向を切り換えることができる。
【００６１】
振り分け部材１１０は、自身の回転軸に駆動源が設けられるのでなく、周面に設けられているギヤ面に噛み合う駆動ギヤ１１１により回転駆動力を得るようになっている。この構成は、振り分け部材１１０の回転軸に駆動源を設けることで設置スペースが制約される場合を考慮したものであり、このような制約がない場合には回転軸に直接駆動源を連結することも可能である。
【００６２】
駆動ギヤ１１１は駆動モータＭによって駆動され、駆動モータＭの回転制御は、図５に示した駆動部１０４によって行われる。
【００６３】
本実施例は、以上のような構成であり、駆動モータＭの回転制御が図５に示した制御部１００において実行されるのに基づき、回転時に振り分け部材１１０の通過部１１０Ａと球排出用入り口部８Ｃ’との対面に位置を切り換えることで球抜き部８Ｄ、８Ｄ’に対するパチンコ球の導入方向を切り換えることができる。なお、駆動モータＭの回転量は球排出用入り口部８Ｃ’の長軸方向での位置を異ならせるだけでよい関係上、１８０度の位相変化が得られる回転量とされている。
【図面の簡単な説明】
【００６４】
【図１】本発明実施例において対象とする一体皿を備えたパチンコ遊技機の正面図である。
【図２】本発明実施例における特徴部を説明するために一体皿の上面から見た状態を示す模式図である。
【図３】図２に示した球排出用入り口部に連通する球抜き部の構成を説明するための模式図である。
【図４】図２に示した球排出用入り口部に設けられる導入方向切り換えのための構成を説明するための図である。
【図５】図１に示したパチンコ遊技機に用いられる制御部の構成を説明するためのブロック図である。
【図６】図５に示した制御部の動作を説明するためのフローチャートである。
【図７】図６に示した動作の一部の詳細を説明するためのフローチャートである。
【図８】本発明の別実施例における特徴部を説明するための平面視的な配置関係を示す模式図である。
【符号の説明】
【００６５】
８            一体皿
８Ａ          供給領域
８Ａ１        供給レール
８Ｂ          貯留領域
８Ｃ、８Ｃ’  球排出用入り口部
８Ｄ、８Ｄ’  球抜き部
８０，８０’  揺動部材
１００        制御部
１０１        入賞口スイッチ
１０２        大入賞口スイッチ
１０３        強制割り込み切り換えスイッチ
１０４        駆動部
１１０        振り分け部材
１１０Ａ      通過部
１１１        駆動ギヤ
Ｍ            駆動
【図１】
2006109910.tif 000003
【図２】
2006109910.tif 000004
【図３】
2006109910.tif 000005
【図４】
2006109910.tif 000006
【図５】
2006109910.tif 000007
【図６】
2006109910.tif 000008
【図７】
2006109910.tif 000009
【図８】
2006109910.tif 000010